(57)【特許請求の範囲】
【請求項１】
外容器の中に内容器を納め、外容器の外ノズルの中に内容器の内ノズルを納めてなる容器であって、
内ノズルの出口を容器軸方向で外ノズルの出口より外方に突出させ、
外容器の内周に備えた係止部と、内容器の外周に備えた係止部を容器軸方向で係止させ、外容器に対する内容器の落ち込みを防止するとともに、
外容器と内容器にそれぞれ装填してある液剤を、該容器の傾動により外ノズルと内ノズルの出口から同時に吐出させる容器。
【請求項２】
前記内ノズルの出口をラッパ形状とした請求項１に記載の容器。
【請求項３】
前記外ノズルと内ノズルを封止可能なキャップを着脱可能に備え、
該キャップは内ノズルの出口に封着するシール部を備える請求項１又は２に記載の容器。
【請求項４】
前記外ノズルと内ノズルを同心状に配置した請求項１〜３のいずれかに記載の容器。
【請求項５】
前記外容器と前記内容器を同心状に配置した請求項１〜４のいずれかに記載の容器。
【請求項６】
前記外ノズルと内ノズルがそれらの相対回転方向で互いに係合する係合部を備える請求項１〜５のいずれかに記載の容器。
【請求項７】
前記外容器と内容器のそれぞれに性質の異なる液剤を装填した請求項１〜６のいずれかに記載の容器。
【請求項８】
前記内容器の外周に備える係止部をその周方向の全周に間欠に設け、外容器の液剤のための流通路を容器周方向の全域において均等に配置した請求項１〜７のいずれかに記載の容器。
【発明の詳細な説明】
【０００１】
【発明の属する技術分野】
本発明は、複数種類の液体、粉体等の剤を同時に吐出させて混合するに好適な容器に関する。
【０００２】
【従来の技術】
特開平11-189251には、外側チューブと内側チューブを備えた２液押出し容器であって、容器の絞り変形によって、外側チューブの外ノズルの全周と内側チューブの内ノズルの全周からそれらの内溶液を同時に吐出するものがある。
【０００３】
【発明が解決しようとする課題】
▲１▼外容器と内容器の内溶液を吐出させるのに容器を絞ることを必須とする２液押出し容器であるから、容器を傾けるだけではそれらの内溶液を同時に吐出させることができない。
【０００４】
▲２▼２液押出し容器であるから、内溶液はいつも外ノズルと内ノズルの全周から押出され、それらのノズルの周方向の一部から吐出することがない。このため、使用者による容器の周方向握り位置によって、外ノズルと内ノズルの周方向の任意の一部から吐出される液の吐出量割合を一定化することの課題がない。
【０００５】
本発明の課題は、外容器の剤と内容器の剤を容器を傾けるだけで同時に吐出させることにある。
【０００６】
本発明の課題は、外容器の剤と内容器の剤をそれらのノズルの周方向のどの部分からも一定の吐出量割合で同時に吐出させることにある。
【０００７】
【課題を解決するための手段】
請求項１の発明は、外容器の中に内容器を納め、外容器の外ノズルの中に内容器の内ノズルを納めてなる容器であって、内ノズルの出口を容器軸方向で外ノズルの出口より外方に突出させ、外容器の内周に備えた係止部と、内容器の外周に備えた係止部を容器軸方向で係止させ、外容器に対する内容器の落ち込みを防止するとともに、外容器と内容器にそれぞれ装填してある液剤を、該容器の傾動により外ノズルと内ノズルの出口から同時に吐出させるようにしたものである。
【０００８】
【発明の実施の形態】
容器１０は、混ざると反応するような性質の異なる２剤Ａ、Ｂ（例えばアルカリ剤、酸素系漂白剤）を同時に吐出させる２剤吐出容器であり、図１、図２に示す如く、一端開口の外容器１１の中に一端開口の内容器２１を納め、外容器１１の開口部には外ノズル１２をそれらの打ち込み部１１Ａ、１３により打ち込み嵌合して封着し、内容器２１の開口部には内ノズル２２をそれらのねじ部２１Ａ、２３によりねじ込み嵌合して封着している。外ノズル１２と内ノズル２２には計量キャップ３０を着脱可能としている。そして、外容器１１と内容器２１は互いに性質の異なる２剤Ａ、Ｂのそれぞれを装填され、容器１０の傾動により、それらの剤Ａ、Ｂを外ノズル１２の出口１４と内ノズル２２の出口２４から同時に吐出させ（図４）、計量キャップ３０にて混ぜ合せできる。
【０００９】
外容器１１、外ノズル１２、内容器２１、内ノズル２２、計量キャップ３０は樹脂成形品からなる。そして、外ノズル１２は、打ち込み筒部１２Ａ、中間筒部１２Ｂ、ノズル筒部１２Ｃを有する筒体とされ、打ち込み筒部１２Ａに外容器１１（打ち込み部１１Ａ）への打ち込み部１３を備え、中間筒部１２Ｂに計量キャップ３０のためのねじ部１５を備え、ノズル筒部１２Ｃの先端に出口１４を備える。また、内ノズル２２は、ねじ込み筒部２２Ａ、ノズル筒部２２Ｂを有する筒体とされ、ねじ込み筒部２２Ａに内容器２１（ねじ部２１Ａ）へのねじ部２３を備え、ノズル筒部２２Ｂの先端に出口２４を備え、ノズル筒部２２Ｂの内周に十字状の流通ガイド２５と、内容器２１に封着するシール部２７、２８を備える。また、計量キャップ３０は、有天筒状をなし、基端外周に外ノズル１２（ねじ部１５）へのねじ部３１を備え、中間外周に外ノズル１２に封着するフランジ部３２を備え、天面裏側に外ノズル１２の出口１４に封着するシール部３３、内ノズル２２の出口２４に封着するシール部３４、３５を備える。
【００１０】
ここで、容器１０は、外ノズル１２と内ノズル２２を前述の如くの筒体とし、それらの中心軸を同心状に配置している。外ノズル１２と内ノズル２２の環状間隙が外容器１１の剤Ａのための流路となる。
【００１１】
また、容器１０は、内ノズル２２の出口２４を軸方向で外ノズル１２の出口１４より外方に突出させ、外ノズル１２の出口１４と内ノズル２２の出口２４のそれぞれを外方に開くラッパ形状としている。
【００１２】
また、容器１０は、外容器１１と内容器２１も筒体とし、それらの中心軸を同心状に配置している。
【００１３】
また、容器１０は、外ノズル１２のノズル筒部１２Ｃの内面の周方向２位置のそれぞれに突出する外側係合部１６を、内ノズル２２のノズル筒部２２Ｂの外面の周方向２位置のそれぞれに突出する内側係合部２６を備え、それらの係合部１６、２６をそれらの相対回転方向で互いに係合可能としている。
【００１４】
また、容器１０は、図２、図３に示す如く、外ノズル１２のノズル筒部１２Ｃの内周の下端寄りに突起状係止部４１を設け、内ノズル２２のねじ込み筒部２２Ａの下端寄りに舌片状係止部４２を設け、係止部４１と係止部４２を容器１０の軸方向で係止している。係止部４１は外ノズル１２の周方向に連続しても良く、又は間欠的に設けても良い。係止部４２は、図３に示す如く、ねじ込み筒部２２Ａの下縁に沿う周方向に全周にわたって間欠的に設け、相隣る係止部４２の間に形成される外容器１１の剤Ａのための流通路４３を、内ノズル２２の周囲に沿って一定の間隔を介する複数位置に設ける。また、係止部４２は、内ノズル２２のねじ込み筒部２２Ａにくびれ状連結部４２Ｂを介して連結され、樹脂成形段階では外方に広がり状をなす折れ曲がり係止片４２Ａからなり、内容器２１と内ノズル２２の組立段階で係止部４１との係止方向への復元習性を備える。
【００１５】
従って、容器１０は以下の如くに組立てられる。
(1)外ノズル１２と内ノズル２２と計量キャップ３０の組立体５０を作成する。外ノズル１２のノズル筒部１２Ｃの内側に内ノズル２２を差し込み、内ノズル２２の係止部４２（折れ曲がり係止片４２Ａ）を外ノズル１２の係止部４１に摺接させながら縮径させる過程を経て、係止部４１を通過後の係止部４２を拡径方向に復元させて係止部４１に容器軸方向で係止させる。同時に、内ノズル２２の内側係合部２６を外ノズル１２の外側係合部１６にそれらの相対回転方向で係合可能とする。更に、外ノズル１２のねじ部１５に計量キャップ３０のねじ部３１を螺着し、計量キャップ３０により外ノズル１２、内ノズル２２を封止する。
【００１６】
(2)内容器２１に剤Ｂを充填する。そして、この内容器２１のねじ部２１Ａに、上述(1)の組立体５０を構成している内ノズル２２のねじ部２３を当て、組立体５０の外ノズル１２の打ち込み筒部１２Ａの外周に回転力を付与し、この回転力を係合部１６、２６により内ノズル２２に伝え、内ノズル２２のねじ部２３を内容器２１のねじ部２１Ａにねじ嵌合する。
【００１７】
(3)外容器１１に剤Ａを充填する。そして、この外容器１１の打ち込み部１１Ａに、上述(2)の内容器２１に取着された組立体５０を構成している外ノズル１２の打ち込み部１３を打ち込み嵌合する。
【００１８】
従って、本実施形態によれば、以下の作用がある。
(1)容器１０は、絞り変形させることなく、傾けるだけで、外容器１１の剤Ａと内容器２１の剤Ｂをそれらのノズル１２、２２から同時に吐出させることができる。
このとき、外容器１１の剤Ａを外ノズル１２の出口１４の下側の一部から吐出し、外ノズル１２の出口１４の残部を空気置換通路として機能させ、内容器２１の剤Ｂを内ノズル２２の出口２４の下側の一部から吐出し、内ノズル２２の出口２４の残部を空気置換通路として機能させ、それらの剤Ａ、Ｂをスムースに吐出させる。
【００１９】
(2)外ノズル１２と内ノズル２２を同心状に配置したから、容器１０を傾けたとき、外ノズル１２の流路が容器１０の周方向で均一になるし、内ノズル２２の流路の容器１０の周方向で均一になる。従って、容器１０の傾き角度を同じとする限り、使用者による容器１０の周方向握り位置に関係なく、外容器１１の剤Ａと内容器２１の剤Ｂをそれぞれ、それらのノズル１２、２２の周方向のどの部分からも一定の吐出量割合で同時に吐出させることができる。
【００２０】
(3)内ノズル２２の出口２４をラッパ形状とすることにより、内ノズル２２の液切れ性が良くなるし、外容器１１の剤Ａが内ノズル２２のラッパ形状の出口２４の裏側にあたってその表側への回り込みを阻止される。従って、内容器２１の剤Ｂが外容器１１に侵入したり、外容器１１の剤Ａが内容器２１に侵入するのを防止できる。
【００２１】
(4)内ノズル２２を外ノズル１２より外方に突出させたから、内ノズル２２から吐出される剤Ｂは外ノズル１２の前方を落下し、内容器２１の剤Ｂが外容器１１に侵入するのを防止できる。
【００２２】
(5)外容器１１と内容器２１を同心状に配置したから、外容器１１の流路が容器１０の周方向で均一になるし、内容器２１の流路も容器１０の周方向で均一になる。従って、容器１０の傾き角度を同じにする限り、使用者による容器１０の周方向握り位置に関係なく、外ノズル１２の出口１４に及ぶ外容器１１の剤Ａのヘッド圧と、内ノズル２２の出口２４に及ぶ内容器２１の剤Ｂのヘッド圧のそれぞれを、それらの外容器１１と内容器２１の周方向のどの部分でも同等にし、外容器１１の剤Ａと内容器２１の剤Ｂをそれぞれ、それらのノズル１２、２２の周方向のどの部分からも一定の吐出量割合で同時に吐出させることができる。
【００２３】
(6)内ノズル２２を内容器２１にねじ嵌合するものであるとき、外ノズル１２と内ノズル２２を予め組立体５０としながら、内ノズル２２を内容器２１にねじ嵌合でき、組立性を向上できる。即ち、外ノズル１２の内側に内ノズル２２を組込んだ組立体５０をまず作成し、その組立体５０の内ノズル２２のねじ部２３を内容器２１のねじ部２１Ａに合わせ、この組立体５０の外ノズル１２を回転させれば、回転力は外ノズル１２と内ノズル２２の係合部１６、２６を介して内ノズル２２に伝わり、内ノズル２２を内容器２１にねじ嵌合できる。
【００２４】
(7)性質の異なる剤Ａ、Ｂのそれぞれを外容器１１と内容器２１から一定の吐出量割合で同時に計量キャップ３０に吐出させ、両剤Ａ、Ｂを一定の混合割合で混合させることができる。
【００２５】
（その他の作用）
(8)外容器１１の中に内容器２１を納めるに際し、外容器１１の内周に備えた外ノズル１２の係止部４１を、内容器２１の外周に備えた内ノズル２２の係止部４２を、容器１０の軸方向で係止させたから、外容器１１に対する内容器２１の脱落を防止できる。
【００２６】
(9)内容器２１の内ノズル２２の係止部４２を外容器１１の外ノズル１２の係止部４１に係止した組立状態で、外容器１１の剤Ａのための流通路４３を内ノズル２２の周囲で一定の間隔を介した複数位置に設けた。従って、外容器１１の剤Ａのための流通路４３と内容器２１の剤Ｂのための流通路をそれぞれ、容器周方向の全域において均等に用意でき、容器１０を傾けてそれらの剤Ａ、Ｂを吐出しようとするとき、使用者による容器１０の周方向握り位置に関係なく、外容器１１の剤Ａと内容器２１の剤Ｂをそれらのノズル１２、２２の周方向のどの部分からも一定の吐出量割合で同時に吐出させることができる。
【００２７】
(10)内ノズル２２と外ノズル１２の少なくとも一方に設ける係止部４２を、他方の係止部４１に対する係止方向への復元習性を備えた折れ曲がり係止片４２Ａからなるものにしたから、それら係止部４１、４２の係止の確実を図ることができる。
【００２８】
また、内ノズル２２が備える流通ガイド２５は、内ノズル２２への剤Ｂの充填時の挿入ガイド、内ノズル２２からの剤Ｂの吐出時の空気置換ガイドとして機能する。
【００２９】
本発明の容器は、外容器１１に外ノズル１２を一定成形したもの、内容器２１に内ノズル２２を一体成形したものでも良い。また、本発明の容器１０は、３剤以上の多数剤を同時吐出できるように、最外層の外容器と最内層の内容器の間に１以上の中間容器を備えるものでも良い。
【００３０】
【発明の効果】
以上のように本発明によれば、外容器の剤と内容器の剤を容器を傾けるだけで同時に吐出させることができる。また、本発明によれば、外容器の剤と内容器の剤をそれらのノズルの周方向のどの部分からも一定の吐出量割合で同時に吐出させることができる。
【図面の簡単な説明】
【図１】図１は容器を示す断面図である。
【図２】図２は図１の要部拡大断面図である。
【図３】図３は内ノズルを示す半断面図である。
【図４】図４は容器の吐出状態を示す斜視図である。
【符号の説明】
１０  容器
１１  外容器
１２  外ノズル
１４  出口
１６、２６  係合部
２１  内容器
２２  内ノズル
２４  出口
【図１】
0003765034.tif 000002
【図２】
0003765034.tif 000003
【図３】
0003765034.tif 000004
【図４】
0003765034.tif 000005